(57)【要約】【課題】水の浪費を回避可能であり、構造が簡素化され、生産コストを低減可能である蛇口用制御弁の提供。【解決手段】連結具と、排水具と、排水穴と、水止め具と、を含む蛇口用制御弁において、前記連結具は、一端には連結部が設けられており、前記連結部が蛇口の排水口と連結しており、前記排水具は、前記連結具の他端に螺着されており、前記連結具との間には水道が形成されており、前記排水穴は、前記排水具に開設されており、前記水道と連通しており、且つ前記水道が外部と連通しており、前記水止め具は、前記連結具と前記排水具との間に設けられており、前記排水具は第一位置と第二位置との間に回転自在であり、前記排水具が前記第一位置に位置されている場合には、蛇口の水経路が前記水道と前記排水穴とを経由して外部と連通し、なお、前記排水具が前記第二位置に位置されている場合には、前記水道が前記水止め具に閉鎖される。【選択図】図２Ａ
0003150500.tif 000002
【実用新案登録請求の範囲】
【請求項１】
連結具と、排水具と、排水穴と、水止め具と、を含む蛇口用制御弁において、
前記連結具は、一端には連結部が設けられており、前記連結部が蛇口の排水口と連結しており、
前記排水具は、前記連結具の他端に螺着されており、前記連結具との間には水道が形成されており、
前記排水穴は、前記排水具に開設されており、前記水道と連通しており、且つ前記水道が外部と連通しており、
前記水止め具は、前記連結具と前記排水具との間に設けられており、
前記排水具は第一位置と第二位置との間に回転自在であり、前記排水具が前記第一位置に位置されている場合には、蛇口の水経路が前記水道と前記排水穴とを経由して外部と連通し、なお、前記排水具が前記第二位置に位置されている場合には、前記水道が前記水止め具に閉鎖されることを特徴とする、蛇口用制御弁。
【請求項２】
前記連結具は、更に、水止め部を含み、前記連結部が前記水止め部に嵌め設けられており、前記水止め部の中心には貫通孔が開設されており、前記水止め具は、弁体と、パッキンと、を含み、前記弁体の上端は、その外径が前記貫通孔の内径よりも小さく、且つ前記貫通孔に螺着されており、前記弁体の上端と、前記貫通孔と、の間には隙間が存在しており、前記弁体の下端が前記排水具の底部と連結しており、前記パッキンは前記水止め部と前記弁体との間に設けられていることを特徴とする、請求項１に記載の蛇口用制御弁。
【請求項３】
更に、Ｃ止め輪を含み、前記連結具は、更に、環状部を含み、前記環状部が前記水止め部の下に嵌め設けられており、前記貫通孔には内ねじが設けられており、前記弁体の上端には外ねじが設けられており、前記貫通孔には前記弁体の上端が螺着されており、なお、前記弁体の上端に設けられた外ねじの下にはパッキンが嵌め設けられており、前記弁体は、更に、前記外ねじの上に設けられた固定溝を有し、前記固定溝には前記Ｃ止め輪が係止されており、前記排水具が前記第一位置に位置されているときには、前記Ｃ止め輪が前記水止め部に押付けていることを特徴とする、請求項２に記載の蛇口用制御弁。
【請求項４】
前記連結具は、更に、環状部を含み、前記環状部が前記水止め部の下に嵌め設けられており、前記貫通孔には内ねじが設けられており、前記弁体の上端には外ねじが設けられており、前記貫通孔には前記弁体の上端が螺着されており、前記水止め部は、更に、前記貫通孔の周りに設けられた係止部を有し、前記弁体の上端には、更に、凸部が設けられており、前記凸部の輪郭が前記係止部の輪郭に対応しており、前記パッキンが前記係止部と前記凸部との間に設けられており、前記排水具が前記第二位置に位置されているときには、前記凸部が前記係止部に押付けていることを特徴とする、請求項２に記載の蛇口用制御弁。
【請求項５】
前記連結具は、更に、環状部を含み、前記環状部が前記水止め部の下に嵌め設けられており、前記貫通孔には内ねじが設けられており、前記弁体の上端には外ねじが設けられており、前記貫通孔には前記弁体の上端が螺着されており、前記水止め部は、更に、前記貫通孔の周りに設けられた係止部を有し、前記弁体の上端には、更に、凸部が設けられており、前記凸部の輪郭が前記係止部の輪郭に対応しており、前記弁体の上端に設けられた外ねじの下には前記パッキンが嵌め設けられていることを特徴とする、請求項２に記載の蛇口用制御弁。
【請求項６】
前記連結具の係止部は、漏斗形状を呈してもいいし、階段形状を呈してもよいことを特徴とする、請求項４又は請求項５に記載の蛇口用制御弁。
【請求項７】
前記弁体の上端には、更に、少なくとも一つの給水溝が設けられており、前記給水溝は、軸方向に沿って伸びており、その長さが前記弁体の上端に設けられた外ねじの軸方向に亘る長さと一致しており、前記弁体の上端に設けられた外ねじが前記給水溝に仕切られて不連続になることを特徴とする、請求項３乃至請求項５の何れか１項に記載の蛇口用制御弁。
【請求項８】
前記連結具の環状部には突起が設けられており、前記排水具には制御用スライド溝が斜めに設けられており、前記制御用スライド溝には前記突起が摺動自在であり、前記排水具が前記第一位置に位置されているときには、前記突起が前記制御用スライド溝の一端に押付けており、前記排水具が前記第二位置に位置されているときには、前記突起が前記制御用スライド溝の他端に押付けていることを特徴とする、請求項３乃至請求項５の何れか１項に記載の蛇口用制御弁。
【請求項９】
前記排水具には突起が設けられており、前記連結具の環状部には制御用スライド溝が斜めに設けられており、前記制御用スライド溝には前記突起が摺動自在であり、前記排水具が前記第一位置に位置されているときには、前記突起が前記制御用スライド溝の一端に押付けており、前記排水具が前記第二位置に位置されているときには、前記突起が前記制御用スライド溝の他端に押付けていることを特徴とする、請求項３乃至請求項５の何れか１項に記載の蛇口用制御弁。
【請求項１０】
更に、前記排水具と結合している泡発生器を含み、前記泡発生器は水出口を有し、そして水道と排水穴と水出口と外部とが連通していることを特徴とする、請求項１乃至請求項５の何れか１項に記載の蛇口用制御弁。
【請求項１１】
前記排水具はハンドルを有し、前記ハンドルは前記排水具の半径方向に沿って前記排水具の外周面に組み付けられていることを特徴とする、請求項１乃至請求項５の何れか１項に記載の蛇口用制御弁。
【考案の詳細な説明】
【技術分野】
【０００１】
本考案は、蛇口用制御弁に関するものである。
【背景技術】
【０００２】
従来、蛇口の排水口には開閉弁を設けることが一般であり、これにより、水流を制御することができ、水の浪費を回避することができる。例えば台湾特許第２６３００５号の「自動閉止式制御弁」が提案され、しかし、このような構造によれば、その構造が複雑であるので、生産コストが増加し、製品の販売価格が高くなる問題があった。
【先行技術文献】
【特許文献】
【０００３】
【特許文献１】台湾特許第２６３００５号公報
【考案の概要】
【考案が解決しようとする課題】
【０００４】
本考案の主な目的は、水の浪費を回避することができ、構造が簡素化され、生産コストを低減することができる蛇口用制御弁を提供することにある。
【課題を解決するための手段】
【０００５】
本考案の請求項１に記載の蛇口用制御弁によると、連結具と、排水具と、排水穴と、水止め具と、を含む蛇口用制御弁において、前記連結具は、一端には連結部が設けられており、前記連結部が蛇口の排水口と連結しており、前記排水具は、前記連結具の他端に螺着されており、前記連結具との間には水道が形成されており、前記排水穴は、前記排水具に開設されており、前記水道と連通しており、且つ前記水道が外部と連通しており、前記水止め具は、前記連結具と前記排水具との間に設けられており、前記排水具は第一位置と第二位置との間に回転自在であり、前記排水具が前記第一位置に位置されている場合には、蛇口の水経路が前記水道と前記排水穴とを経由して外部と連通し、なお、前記排水具が前記第二位置に位置されている場合には、前記水道が前記水止め具に閉鎖されることを特徴とする蛇口用制御弁である。
【０００６】
本考案の請求項２に記載の蛇口用制御弁によると、前記連結具は、更に、水止め部を含み、前記連結部が前記水止め部に嵌め設けられており、前記水止め部の中心には貫通孔が開設されており、前記水止め具は、弁体と、パッキンと、を含み、前記弁体の上端は、その外径が前記貫通孔の内径よりも小さく、且つ前記貫通孔に螺着されており、前記弁体の上端と、前記貫通孔と、の間には隙間が存在しており、前記弁体の下端が前記排水具の底部と連結しており、前記パッキンは前記水止め部と前記弁体との間に設けられている。
【０００７】
本考案の請求項３に記載の蛇口用制御弁によると、更に、Ｃ止め輪を含み、前記連結具は、更に、環状部を含み、前記環状部が前記水止め部の下に嵌め設けられており、前記貫通孔には内ねじが設けられており、前記弁体の上端には外ねじが設けられており、前記貫通孔には前記弁体の上端が螺着されており、なお、前記弁体の上端に設けられた外ねじの下にはパッキンが嵌め設けられており、前記弁体は、更に、前記外ねじの上に設けられた固定溝を有し、前記固定溝には前記Ｃ止め輪が係止されており、前記排水具が前記第一位置に位置されているときには、前記Ｃ止め輪が前記水止め部に押付けている。
【０００８】
本考案の請求項４に記載の蛇口用制御弁によると、前記連結具は、更に、環状部を含み、前記環状部が前記水止め部の下に嵌め設けられており、前記貫通孔には内ねじが設けられており、前記弁体の上端には外ねじが設けられており、前記貫通孔には前記弁体の上端が螺着されており、前記水止め部は、更に、前記貫通孔の周りに設けられた係止部を有し、前記弁体の上端には、更に、凸部が設けられており、前記凸部の輪郭が前記係止部の輪郭に対応しており、前記パッキンが前記係止部と前記凸部との間に設けられており、前記排水具が前記第二位置に位置されているときには、前記凸部が前記係止部に押付けている。
【０００９】
本考案の請求項５に記載の蛇口用制御弁によると、前記連結具は、更に、環状部を含み、前記環状部が前記水止め部の下に嵌め設けられており、前記貫通孔には内ねじが設けられており、前記弁体の上端には外ねじが設けられており、前記貫通孔には前記弁体の上端が螺着されており、前記水止め部は、更に、前記貫通孔の周りに設けられた係止部を有し、前記弁体の上端には、更に、凸部が設けられており、前記凸部の輪郭が前記係止部の輪郭に対応しており、前記弁体の上端に設けられた外ねじの下には前記パッキンが嵌め設けられている。
【００１０】
本考案の請求項６に記載の蛇口用制御弁によると、前記連結具の係止部は、漏斗形状を呈してもいいし、階段形状を呈してもよい。
【００１１】
本考案の請求項７に記載の蛇口用制御弁によると、前記弁体の上端には、更に、少なくとも一つの給水溝が設けられており、前記給水溝は、軸方向に沿って伸びており、その長さが前記弁体の上端に設けられた外ねじの軸方向に亘る長さと一致しており、前記弁体の上端に設けられた外ねじが前記給水溝に仕切られて不連続になる。
【００１２】
本考案の請求項８に記載の蛇口用制御弁によると、前記連結具の環状部には突起が設けられており、前記排水具には制御用スライド溝が斜めに設けられており、前記制御用スライド溝には前記突起が摺動自在であり、前記排水具が前記第一位置に位置されているときには、前記突起が前記制御用スライド溝の一端に押付けており、前記排水具が前記第二位置に位置されているときには、前記突起が前記制御用スライド溝の他端に押付けている。
【００１３】
本考案の請求項９に記載の蛇口用制御弁によると、前記排水具には突起が設けられており、前記連結具の環状部には制御用スライド溝が斜めに設けられており、前記制御用スライド溝には前記突起が摺動自在であり、前記排水具が前記第一位置に位置されているときには、前記突起が前記制御用スライド溝の一端に押付けており、前記排水具が前記第二位置に位置されているときには、前記突起が前記制御用スライド溝の他端に押付けている。
【００１４】
本考案の請求項１０に記載の蛇口用制御弁によると、更に、前記排水具と結合している泡発生器を含み、前記泡発生器は水出口を有し、そして水道と排水穴と水出口と外部とが連通している。
【００１５】
本考案の請求項１１に記載の蛇口用制御弁によると、前記排水具はハンドルを有し、前記ハンドルは前記排水具の半径方向に沿って前記排水具の外周面に組み付けられている。
【考案の効果】
【００１６】
本考案の蛇口用制御弁によれば、水の浪費を回避可能であり、構造が簡素化され、生産コストを低減可能であるという効果を有する。
【図面の簡単な説明】
【００１７】
【図１】本考案に係る制御弁が蛇口に組み付けられた状態の模式図である。
【図２Ａ】本考案に係る制御弁の分解斜視図である。
【図２Ｂ】本考案に係る排水具の別の実施態様を示す模式図である。
【図３Ａ】本考案の実施例１の断面図である。
【図３Ｂ】本考案の実施例１の断面図である。
【図３Ｃ】図３ＡにおけるＣ-Ｃ線の断面図である。
【図４Ａ】本考案の実施例１に係る制御弁の使用状態を示す模式図である。
【図４Ｂ】本考案の実施例１に係る制御弁の使用状態を示す模式図である。
【図５Ａ】本考案の実施例２の断面図である。
【図５Ｂ】本考案の実施例２の断面図である。
【図６Ａ】本考案の実施例３の断面図である。
【図６Ｂ】本考案の実施例３の断面図である。
【図７】本考案に係る制御弁が蛇口に組み付けられた状態の模式図であって、制御弁には、更に、泡発生器が設けられている。
【考案を実施するための形態】
【００１８】
以下、本考案の実施の形態を図面に基づいて説明する。
【実施例１】
【００１９】
まず、図１及び図２Ａを参照しながら本考案の実施例１を説明する。本考案の実施例１に係る制御弁１は、連結具１１と、排水具１２と、水止め具１３と、を含む。制御弁１は蛇口５と排水口５１との間に設けられている。
【００２０】
次に、図１、図２Ａ、図３Ａ及び図３Ｂを参照する。連結具１１は、水止め部１１１と、環状部１１２と、連結部１１３と、を有する。水止め部１１１の中心には貫通孔１１１１が開設されており、貫通孔１１１１には内ねじが設けられている。環状部１１２は、軸方向に沿って水止め部１１１の底部から下に伸びている。連結部１１３は、軸方向に沿って水止め部１１１の外周面から上に伸びているリングであり、その外壁面には外ねじが設けられており、その内壁面には内ねじが設けられている。本実施例では、連結部１１３がその外ねじにより蛇口５の排水口５１に螺着されている。
【００２１】
本考案の実施例１では、連結部１１３の外ねじを排水口５１の内壁面に設けられた内ねじと螺合してもいいし、連結部１１３の内ねじを、外壁に外ねじ（図示せず）が設けられている排水口５１と螺合してもよく、これにより、制御弁１と蛇口５を連結することができる。一方、本実施例では、連結部１１３が内外ねじを同時に有しているが、場合によって内外ねじのうちの一つだけを有してもよく、且つ連結部の外ねじを環状部１１２の外周面に設けてもよく、そうすると、連結部１１３を設けなくてもよい。
【００２２】
本考案の実施例１では、制御弁１の排水具１２は、一端には開口が設けられており他端が閉止された円筒であり、排水具１２は、胴体１２１と、底部１２２と、を有し、胴体１２１の内径が連結具１１の環状部１１１の外径と一致しており、これにより、連結具１１の環状部１１１に胴体１２１の一部を嵌め込むことができる。また、胴体１２１の外周面には、更に、縦方向に沿う溝１２１１が多数に設けられており、これにより、排水具１２とユーザの指との摩擦力を増加することができ、ユーザは排水具１２を容易に回動することができる。また、胴体１２１に胴体１２１の半径方向に沿うハンドル１２１３を設けてもよく、そうすると、ユーザは排水具１２を容易に回動することもできる。また、連結具１１と排水具１２との外面に引回し部１１４、１２４を設けてもよく、そうすると、工具（例えばスパナなど）によって連結部１１と排水具１２とを引き回すことができ、これにより、蛇口５の排水口５１と、排水具１２と、に連結部１１を緊密に螺合することができる。
【実施例２】
【００２３】
次に、図２Ｂ、図３Ｃ及び図３Ａを参照しながら本考案の実施例２を説明する。水止め具１３は、弁体１３１と、パッキン１３２と、を含み、排水具１２の底部１２２の中央には弁体１３１が設けられている。特に、本実施例では、弁体１３１と排水具１２が一体成形され、もちろん、弁体１３１と排水具１２とは別体にして締付方法によって一体にしてもよい。一方、弁体１３１の上端には、外ねじが設けられており、連結具１１が貫入されている貫通孔１１１１が開設されており、なお、弁体１３１の上端の外径が貫通孔１１１１の内径よりも小さく、且つ弁体１３１の上端には、更に、二つの給水溝１３３が設けられており、給水溝１３３は、弁体１３１の軸方向に沿って前記外ねじの全長を亘り、且つ弁体１３１の上端に設けられた前記外ねじが給水溝１３３に仕切られて不連続になる。しかし、給水溝１３３の数量は二つに限らなくてもよく、弁体１３１の上端に一つ以上の給水溝１３３を設け、図２Ｂに示すように、例えば弁体１３１の上端に三つの給水溝１３３を設けてもよい。また、水止め部１１１と環状部１１２と弁体１３１と排水具１２とから構成される空間と、給水溝１３３と、が水道１２３を形成しており、排水具１２の底部には、水道１２３と外部とに連通している排水穴１２２１が多数に開設されている。また、弁体１３１の上端にはＣ止め輪１４が組付けられている。図３Ａに示すように、ユーザが排水具１２を第一位置に回転すると、Ｃ止め輪１４が連結具１１の水止め部１１１にストップされ、そうすると、排水具１２が過度に回転されて連結具１１から離脱することがなくなる。もちろん、弁体１３１の上端にＣ止め輪１４と同じの機能を有する部材を設けてもよく、例えば貫通孔１１１１に弁体１３１を螺着した後、弁体１３１の上端にリベット部（図示せず）を形成すると、排水具１２は連結具１１から離脱することがなくなる。
【００２４】
また、弁体１３１は、更に、弁体１３１の上端に設けられた外ねじの下に設けられている凸縁１３１１を有し、パッキン１３２は、弁体１３１の上端に設けられた外ねじの下に嵌め設けられており、凸縁１３１１の上に固定されている。図３Ａに示すように、ユーザが水を取りたい場合には、まず、排水具１２を第一位置に回転して、蛇口５内の水が水道１２３を経由して排水穴１２２１から外部に排出される。また、図３Ｂに示すように、ユーザが水を止めたい場合には、まず、排水具１２を第二位置に回転することにより、パッキン１３２が水止め部１１１及び凸縁１３１１と密接して水道１２３が閉止される。本実施例では、連結具１１の連結部１１３の上面と、蛇口５の排水口５１と、の間にはワッシャが設けられており、且つ連結具１１の環状部１１２の外面と、排水具１２の胴体５１の内面と、の間にはＯリングが設けられており、これにより、水がバイパスして外部に流出することがなくなる。
【００２５】
また、図４Ａ及び図４Ｂを参照しながら本考案の実施例１の使用状態を説明する。制御弁１において、連結具１１の環状部１１２の外周面には、更に、突起１１２１が設けられており、排水具１２の胴体１２１の内面には制御用スライド溝１２１２が斜めに設けられており、制御用スライド溝１２１２の両端に規制されるように、突起１１２１が制御用スライド溝１２１２内に摺動自在である。突起１１２１と制御用スライド溝１２１２とにより、排水具１２が過度に回転されてパッキン１３２を破壊し、又は排水具１２が脱出することがなくなる。一方、胴体１２１の内面に突起１１２１を設けて、環状部１１２の外面に制御用スライド溝１２１２を設けてもよく、このような構成によれば、上記と同じ効果を達成することができる。
【００２６】
次に、図５Ａ及び図５Ｂを参照しながら本考案の実施例２の使用状態を説明する。本考案の実施例２に係る制御弁２と本考案の実施例１に係る制御弁１との相違する箇所は、弁体２３１が排水具２２の底部２２２に螺着されており、且つ連結具２１は貫通孔（図２Ａにおける符号１１１１を参照）の周りに設けられている係止部２１４を有し、係止部２１４が階段形状を呈し、弁体２３１の上端には凸部２３１１が設けられており、凸部２３１１の輪郭が係止部２１４の輪郭に対応しており、パッキン２３２が係止部２１４と凸部２３１１との間に設けられている。ユーザが水を取りたい場合には、図５Ａに示すように、まず、排水具２２を第一位置に回転して、蛇口５内の水が水道２２３を経由して排水穴２２２１から外部に排出される。また、図５Ｂに示すように、ユーザが水を止めたい場合には、まず、排水具２２を第二位置に回転することにより、パッキン２３２が凸部２３１１及び係止部２１４と密接して水道２２３が閉止される。
【実施例３】
【００２７】
本考案の実施例２では、係止部２１４が階段形状を呈しているが、もちろん、他の形状にしてもよく、図６Ａ及び図６Ｂに示すように、例えば本考案の実施例３に係る制御弁３の係止部３１４が漏斗形状にされ、弁体３３１の凸部３３１１の輪郭が係止部３１４の輪郭に対応している。また、実施例２及び実施例３において、パッキン２３２、３３２はそれぞれ凸部２３１１、３３１１と係止部２１４、３１４との間に設けられているが、もちろん、図３Ａに示すように、弁体２３１、３３１の上端に設けられた外ねじの下にパッキン２３２、３３２を嵌め設けることにより、パッキン２３２、３３２を凸縁２２２２、３２２２に固定してもよい。そうすると、第一位置と第二位置の間に排水具２２、３２を回転することにより、制御弁を開閉することができる。
【００２８】
次に、図７を参照する。制御弁は、更に、泡発生器１５を含む。泡発生器１５は、排水具１２に螺着されており、水出口１５１を有し、そして水道１２３と排水穴１２２１と水出口１５１と外部とが連通している。泡発生器１５によりエアが水流に良好に混入される。
【産業上の利用可能性】
【００２９】
本考案は蛇口に適用することができる。
【符号の説明】
【００３０】
１：制御弁、２：制御弁、３：制御弁、５：蛇口、１１：連結具、１２：排水具、１３：水止め具、１４：Ｃ止め輪、１５：泡発生器、２１：連結具、２２：排水具、３２：排水具、５１：排水口、１１１：水止め部、１１２：環状部、１１３：連結部、１１４：引回し部、１２１：胴体、１２２：底部、１２３：水道、１２４：引回し部、１３１：弁体、１３２：パッキン、１３３：給水溝、１５１：水出口、２１４：係止部、２２２：底部、２２３：水道、２３１：弁体、２３２：パッキン、３１４：係止部、３３１：弁体、３３２：パッキン、１１１１：貫通孔、１１２１：突起、１２１１：溝、１２１２：制御用スライド溝、１２１３：ハンドル、１２２１：排水穴、１３１１：凸縁、２２２１：排水穴、２２２２：凸縁、２３１１：凸部、３２２２：凸縁、３３１１：凸部。
【図１】
0003150500.tif 000003
【図２Ａ】
0003150500.tif 000004
【図２Ｂ】
0003150500.tif 000005
【図３Ａ】
0003150500.tif 000006
【図３Ｂ】
0003150500.tif 000007
【図３Ｃ】
0003150500.tif 000008
【図４Ａ】
0003150500.tif 000009
【図４Ｂ】
0003150500.tif 000010
【図５Ａ】
0003150500.tif 000011
【図５Ｂ】
0003150500.tif 000012
【図６Ａ】
0003150500.tif 000013
【図６Ｂ】
0003150500.tif 000014
【図７】
0003150500.tif 000015